(57)【要約】【課題】基礎構造を短期間で効率的に施工することが可能な基礎構造及び基礎構造施工方法を提供すること。【解決手段】鋼製型枠部材２０と、横梁１５を有する基礎梁仕口鉄骨１０と、前記型枠部材２０内にコンクリートが打設されて形成されたコンクリート部と、を備えた基礎構造１００であって、前記型枠部材２０は、前記横梁１５を支持する支持部材２２と、型枠部材本体２１と、を備え、前記支持部材２２は、前記横梁１５が収容可能な横梁受け凹部２２Ｕが形成されていることを特徴とする。【選択図】図６
2020070605.tif 000002
【特許請求の範囲】
【請求項１】
型枠部材と、
横梁を有する基礎梁と、
前記型枠部材内にコンクリートが打設されて形成されたコンクリート部と、
を備えた基礎構造であって、
前記型枠部材は、
前記横梁を支持する支持部材と、
型枠部材本体と、
を備えることを特徴とする基礎構造。
【請求項２】
請求項１に記載の基礎構造であって、
前記支持部材は、
前記横梁が収容可能な横梁受け凹部が形成されている
ことを特徴とする基礎構造。
【請求項３】
請求項１又は２に記載の基礎構造であって、
前記支持部材は、
支持した前記横梁を、前記型枠部材本体に対して所定の高さに保持する
ことを特徴とする基礎構造。
【請求項４】
請求項１から３のいずれか一項に記載の基礎構造であって、
前記型枠部材と前記横梁とを含む平面視閉断面形状が構成されている
ことを特徴とする基礎構造。
【請求項５】
請求項４に記載の基礎構造であって、
前記型枠部材と前記横梁とが協働して前記型枠部材内にコンクリートを保持するコンクリート保持手段
を備えていることを特徴とする基礎構造。
【請求項６】
請求項５に記載の基礎構造であって、
前記コンクリート保持手段は、
前記閉断面形状に沿って重なる部分を備えている
ことを特徴とする基礎構造。
【請求項７】
請求項６に記載の基礎構造であって、
前記コンクリート保持手段は、
前記横梁に形成され、前記横梁の軸線と直交する方向に延在する張出しプレートと、
前記型枠部材に形成され、前記閉断面形状の内側と外側の少なくともいずれか一方に配置され前記張出しプレートと重なり合うように形成されたコンクリート保持壁部と、
を備えることを特徴とする基礎構造。
【請求項８】
請求項１から３のいずれか一項に記載の基礎構造であって、
前記型枠部材と前記横梁とを、打設されるコンクリートの骨材のサイズ以下の間隔に近接配置することにより構成されたコンクリート流出抑止部
を備えている
ことを特徴とする基礎構造。
【請求項９】
型枠部材と、横梁を有する基礎梁と、を備え、前記型枠部材内にコンクリートが打設された基礎構造施工方法であって、
前記横梁を支持する支持部材と、型枠部材本体と、を備えた型枠部材を孔内に配置し、
前記型枠部材を地盤に固定し、
前記基礎梁を前記支持部材に配置して前記支持部材により前記横梁を支持させ、
前記型枠部材内にコンクリートを打設する
ことを特徴とする基礎構造施工方法。
【発明の詳細な説明】
【技術分野】
【０００１】
本発明は、基礎構造及び基礎構造施工方法に関する。
【背景技術】
【０００２】
従来、基礎構造施工方法として、例えば、砕石と捨てコンによって形成した地盤にアンカーフレームを立設し、その後アンカーフレームの周囲に配筋し、配筋された鉄筋構造物の周囲に型枠部材を配置し、その型枠内部材にコンクリートを打設することによりフーチングを形成し、このフーチング上に基礎梁を配置して基礎構造を構成することが一般的に行われている。
【０００３】
一方、地盤に打設した杭の周辺に型枠部材を配置し、この型枠部材に基礎梁を配置して、この基礎梁の端部に別の基礎梁を連結した後に、型枠部材内にコンクリートを打設することにより基礎構造を形成する基礎構造施工方法が開示されている（例えば、特許文献１参照。）。
【先行技術文献】
【特許文献】
【０００４】
【特許文献１】特開２００２−２２０８４２号公報
【発明の概要】
【発明が解決しようとする課題】
【０００５】
しかしながら、上記従来の基礎構造を形成する際には、業種が異なる複数の施工業者が行う多くの工程が複雑に錯綜しており、各工程が終了するまで次の工程を施工することができないために、基礎構造を短期間で効率的に施工することは非常に困難である。
【０００６】
また、従来の基礎構造では、基礎梁を所定位置に固定するためのアンカーフレームを必要としていることから、アンカーフレームが杭やフーチングと干渉して効率的な施工をするのが妨げられる可能性がある。
【０００７】
本発明は、このような事情を考慮してなされたものであり、短期間で効率的に施工することが可能な基礎構造及び基礎構造施工方法を提供することを目的とする。
【課題を解決するための手段】
【０００８】
上記課題を解決するために、この発明は以下の手段を提案している。
請求項１に記載の発明は、型枠部材と、横梁を有する基礎梁と、前記型枠部材内にコンクリートが打設されて形成されたコンクリート部と、を備えた基礎構造であって、前記型枠部材は、前記横梁を支持する支持部材と、型枠部材本体と、を備えることを特徴とする。
【０００９】
この発明に係る基礎構造によれば、型枠部材が、横梁を支持する支持部材と、型枠部材本体と、コンクリート部と、を備えていて、支持部材によって基礎梁を安定して支持させることができるので、例えば、仮設時に、アンカーフレームを用いることなく基礎梁を固定することが可能となり、基礎構造を効率的に形成することができる。
また、型枠部材及び基礎梁を工場で製作してプレハブ化することにより、建設現場における施工工程を削減して簡素にすることができるので、基礎構造の施工期間を短縮することができる。
【００１０】
請求項２に記載の発明は、請求項１に記載の基礎構造であって、前記支持部材は、前記横梁が収容可能な横梁受け凹部が形成されていることを特徴とする。
【００１１】
この発明に係る基礎構造によれば、支持部材は、横梁が収容可能な横梁受け凹部が形成されているので、横梁受け凹部に横梁を収容させることにより、基礎梁を型枠部材の所定位置に効率的かつ正確に配置することができる。
その結果、基礎構造の施工期間を効率的に短縮することができる。
【００１２】
請求項３に記載の発明は、請求項１又は２に記載の基礎構造であって、前記支持部材は、支持した前記横梁を、前記型枠部材本体に対して所定の高さに保持することを特徴とする。
【００１３】
この発明に係る基礎構造によれば、支持部材が、支持した横梁を、型枠部材本体対して所定の高さに保持するので、例えば、型枠部材本体の上面と横梁の上面を同じ高さになるように、横梁と型枠部材本体を保持することで、コンクリートを効率的に打設することができる。
【００１４】
請求項４に記載の発明は、請求項１から３のいずれか一項に記載の基礎構造であって、前記型枠部材と前記横梁とを含む平面視閉断面形状が構成されていることを特徴とする。
【００１５】
この発明に係る基礎構造によれば、型枠部材と前記横梁とを含む閉断面形状が構成されているので、打設したコンクリートを平面視閉断面形状内に容易かつ安定して保持することができる。
その結果、安定した品質の基礎構造を効率的に形成することができる。
【００１６】
請求項５に記載の発明は、請求項４に記載の基礎構造であって、前記型枠部材と前記横梁とが協働して前記型枠部材内にコンクリートを保持するコンクリート保持手段を備えていることを特徴とする。
【００１７】
この発明に係る基礎構造によれば、型枠部材と横梁とが協働して型枠部材内にコンクリートを保持するコンクリート保持手段を備えているので、打設したコンクリートを型枠部材内に安定して保持することができる。
その結果、安定した品質の基礎構造を効率的に形成することができる。
【００１８】
請求項６に記載の発明は、請求項５に記載の基礎構造であって、前記コンクリート保持手段は、前記閉断面形状に沿って重なる部分を備えていることを特徴とする。
【００１９】
この発明に係る基礎構造によれば、コンクリート保持手段が、閉断面形状に沿って重なる部分を備えているので、型枠部材に基礎梁を配置した際に、効率的に閉断面形状を構成することができる。
【００２０】
請求項７に記載の発明は、請求項６に記載の基礎構造であって、前記コンクリート保持手段は、前記横梁に形成され、前記横梁の軸線と直交する方向に延在する張出しプレートと、前記型枠部材に形成され、前記閉断面形状の内側と外側の少なくともいずれか一方に配置され前記張出しプレートと重なり合うように形成されたコンクリート保持壁部と、を備えることを特徴とする。
【００２１】
この発明に係る基礎構造によれば、コンクリート保持手段は、横梁に形成された張出しプレートと、型枠部材に形成された平面視閉断面形状の内側と外側の少なくともいずれか一方に配置され張出しプレートと重なり合うように形成されたコンクリート保持壁部と、を備えているので、効率的に閉断面形状を形成することができる。また、打設したコンクリートを閉断面形状内に安定して保持させることができる。
【００２２】
ここで、コンクリート保持壁部は、張出しプレートに対して閉断面形状に対して内側のみ、又は外側のみに配置してもよいし、内側と外側の両方に配置して、差込まれた張出しプレートを閉断面形状の内側と外側から挟み込むように構成してもよい。
【００２３】
また、張出しプレートは、横梁の内側面の下部（上側を向く面）、側面のいずれか一方の高さ方向全長又は一部の範囲に形成してもよい。コンクリート保持壁部は、形成された部位に応じて、閉断面形状に対して内側と外側のいずれに配置するか双方に配置するかを任意に設定してもよい。
【００２４】
請求項８に記載の基礎構造は、請求項１から３のいずれか一項に記載の基礎構造であって、前記型枠部材と前記横梁とを、打設されるコンクリートの骨材のサイズ以下の間隔に近接配置することにより構成されたコンクリート流出抑止部を備えていることを特徴とする。
【００２５】
この発明に係る基礎構造によれば、型枠部材と横梁とを、打設されるコンクリートの骨材のサイズ以下の間隔に近接配置することにより構成されたコンクリート流出抑止部を備えているので、横梁と型枠部材本体の間に間隙が形成されていても、打設したコンクリートが型枠部材の外方に流出するのを抑止することができる。
【００２６】
ここで、コンクリート流出抑止部は、型枠部材側の端部と横梁側の端部により構成され、いずれか一方又は双方が面であってもよい。
また、打設したコンクリートの流出を抑止するとは、例えば、打設したコンクリートが型枠部材から外方に流出するのを完全に抑止することのみならず、コンクリートが流動して固化するまでに流出する量、移動する長さ等が、コンクリートの品質や外観に実質的な不具合を生じない範囲であればよい。
【００２７】
また、コンクリート流出抑止部を構成する近接とは、例えば、打設したコンクリートの性状（骨材の大きさ、粘性等）、コンクリートが流動して固化するまでに流出する量、移動する長さ等を考慮して必要に応じて任意に設定することができる。
【００２８】
また、コンクリートの骨材のサイズとは、コンクリートを構成する骨材（粗骨材）の最大寸法をいい、具体的には、標準ふるい（ＪＩＳ Ｚ ８８０１）にかけた際に、重量で骨材の９０％以上が通るふるいのうち、目の開きが最小のふるいの目の開き（ｍｍ）をいうものとする。
【００２９】
請求項９に記載の発明は、型枠部材と、横梁を有する基礎梁と、を備え、前記型枠部材内にコンクリートが打設された基礎構造施工方法であって、前記横梁を支持する支持部材と、型枠部材本体と、を備えた型枠部材を孔内に配置し、前記型枠部材を地盤に固定し、前記基礎梁を前記支持部材に配置して前記支持部材により前記横梁を支持させ、前記型枠部材内にコンクリートを打設することを特徴とする。
【００３０】
この発明に係る基礎構造施工方法によれば、型枠部材内にコンクリートが打設された基礎構造施工方法であって、横梁を支持する支持部材と、型枠部材本体と、を備えた型枠部材を孔内に配置し、型枠部材を地盤に固定し、基礎梁を支持部材に配置して支持部材により横梁を支持させ、型枠部材内にコンクリートを打設するので、型枠部材を地盤の所定位置に配置することで、アンカーフレーム等によって基礎梁を固定することなく、基礎梁を固定することが可能となり、基礎構造を効率的に形成することができる。
その結果、基礎構造の施工期間を短縮して効率的に施工することができる。
また、型枠部材及び基礎梁を工場で製作してプレハブ化することにより、建設現場における施工工程を削減して簡素にすることができるので、基礎構造の施工期間を短縮することができる。
【発明の効果】
【００３１】
本発明の基礎構造及び基礎構造施工方法によれば、基礎構造を短期間で効率的に施工することができる。
【図面の簡単な説明】
【００３２】
【図１】本発明の第１実施形態に係る基礎構造の概略構成の一例を説明する側面から見た概念図である。
【図２】第１実施形態に係る基礎構造の概略構成の一例を説明する平面図である。
【図３】第１実施形態に係る基礎構造を構成する基礎梁仕口鉄骨の概略構成の一例を説明する概略構成図である。
【図４】第１実施形態に係る基礎構造を構成する鋼製型枠部材の概略構成の一例を説明する側面から見た概略構成図である。
【図５】第１実施形態に係る基礎構造を構成する鋼製型枠部材の差し込み部材の概略構成の一例を説明する図３において矢視Ｖ−Ｖで示す平面図である。
【図６】第１実施形態に係る基礎構造の概略構成の一例を説明する分解斜視図である。
【図７】本発明の第２実施形態に係る基礎構造の概略構成の一例を説明する側面から見た概念図である。
【図８】本発明の第３実施形態に係る基礎構造におけるコンクリート保持手段の概略構成の一例を説明する平面視した概念図である。
【図９】本発明の第４実施形態に係る基礎構造におけるコンクリート保持手段の概略構成の一例を説明する平面視した概念図である。
【図１０】本発明の第５実施形態に係る基礎構造におけるコンクリート保持手段の概略構成の一例を説明する平面視した概念図である。
【図１１】本発明の第６実施形態に係る基礎構造におけるコンクリート保持手段の概略構成の一例を説明する平面視した概念図である。
【図１２】本発明の第７実施形態に係る基礎構造におけるコンクリート保持手段の概略構成の一例を説明する平面視した概念図である。
【図１３】本発明の第８実施形態に係る基礎構造におけるコンクリート保持手段の概略構成の一例を説明する平面視した概念図である。
【図１４】本発明の第９実施形態に係る基礎構造の概略構成の一例を部分的に説明する分解斜視図である。
【図１５】第９実施形態に係る基礎構造におけるコンクリート流動抑止部の概略構成の一例を説明する平面視した概念図である。
【図１６】本発明の第１０実施形態に係る基礎構造におけるコンクリート流動抑止部の概略構成の一例を説明する平面視した概念図である。
【発明を実施するための形態】
【００３３】
＜第１実施形態＞
以下、図１〜図６を参照して、本発明の第１実施形態に係る基礎構造について説明する。
図１は、本発明の第１実施形態に係る基礎構造の概略構成の一例を説明する側面から見た概念図であり、図２は基礎構造の概略構成を説明する平面図である。
図において、符号１００は基礎構造を、符号１０は基礎梁仕口鉄骨（基礎梁）を、符号１５は横梁を、符号１６は差込みプレート（張出しプレート、コンクリート保持手段）を、符号２０は鋼製型枠部材（型枠部材）を、符号２２は支持部材を、符号２２Ｕは横梁受け凹部を、符号２３は差込みプレート受け部材（コンクリート保持壁部、コンクリート保持手段）を、符号３０はフーチングコンクリート部（コンクリート部）を示している。
【００３４】
基礎構造１００は、図１、図２に示すように、例えば、基礎梁仕口鉄骨（基礎梁）１０と、鋼製型枠部材（型枠部材）２０と、フーチングコンクリート部（コンクリート部）３０とを備えている。
また、基礎構造１００は、この実施形態において、例えば、コンクリート保持手段４０を備えている。
【００３５】
また、基礎構造１００は、この実施形態において、床面（ＦＬ）を掘削して形成した掘削孔内に砕石Ｓ１を配置し、捨てコンＳ２を打設して形成された地盤上に固定されるとともに、鋼製型枠部材２０の周囲に土砂を入れて床面（ＦＬ）に埋設された構成とされている。
【００３６】
基礎梁仕口鉄骨（基礎梁）１０は、図１〜図３に示すように、下部鋼管柱１１と、下部プレート１２と、上部プレート１３と、上部鋼管柱１４と、４つの横梁１５と、差込みプレート（張出しプレート）１６と、を備えている。
【００３７】
下部鋼管柱１１は、例えば、平面視して略矩形筒状に形成され、鉛直方向に沿って立設されている。
下部プレート１２は、例えば、平面視して下部鋼管柱１１より大きな矩形に形成されていて、下部鋼管柱１１の下側端面に溶接により接合されている。
【００３８】
上部プレート１３は、例えば、平面視して下部縦鋼管柱部材１１より大きな矩形に形成されていて、下部鋼管柱１１の上側端面に溶接により接合されている。
【００３９】
上部鋼管柱１４は、例えば、平面視して略矩形筒状に形成され、溶接により下側端面が上部プレート１３の上面に接合されている。
また、上部鋼管柱１４は、下部鋼管柱１１の軸線に沿って鉛直方向に立設されている。
【００４０】
横梁１５は、図１〜図３、図６に示すように、例えば、下部鋼管柱１１の高さ寸法と対応するウェブを有するＨ形鋼により構成されている。
また、横梁１５は、それぞれの端面を下部鋼管柱１１の４つの側面に突き合わせて、溶接により水平方向に沿って接合されている。
また、横梁１５をなすＨ形鋼の下側フランジ部及び上側フランジ部は、下部プレート１２及び上部プレート１３の端面に接合されている。
その結果、基礎梁仕口鉄骨（基礎梁）１０は、平面視して、横梁１５が下部鋼管柱１１から四法に伸びる十字形とされている。
【００４１】
差込みプレート（張出しプレート）１６は、例えば、高さ寸法及び幅方向寸法が横梁１５をなすＨ形鋼よりも大きく形成され外形が矩形に形成された平板（例えば、鋼板）により構成されている。
また、差込みプレート１６は、横梁１５の長手方向に沿って見たときに、例えば、上側縁部が横梁１５の上側面に合わせて、下側縁部が横梁１５の下側から張り出して配置されている。
また、差込みプレート１６は、例えば、横梁１５に対して左右対称に入り出して形成されている。
【００４２】
また、差込みプレート１６は、横梁１５の長手方向において、構成型枠部材２０の対応する位置に配置されている。
なお、この実施形態において、差込みプレート１６は、例えば、複数の部分に分割され、これらを横梁１５を構成するＨ形鋼の断面形状（ウェブ及びフランジ部）に合わせて接合されている。
【００４３】
鋼製型枠部材（型枠部材）２０は、図１、図２、図６に示すように、例えば、鋼製型枠部材本体（型枠部材本体）２１と、支持部材２２と、差込みプレート受け部材（コンクリート保持壁部）２３と、を備えている。
また、支持部材２２には、例えば、横梁１５が収容可能な横梁受け凹部２２Ｕが形成されている。
【００４４】
鋼製型枠部材本体２１は、例えば、平面視して略正方形（矩形）に形成された外周縁を有していて、外周縁の辺をなす４つの側壁部２４と、側壁部２４を両端部で直角に接続してコーナ部をなす４つのアングル材２５と、を備えている。
【００４５】
側壁部２４は、例えば、側面視して矩形に形成された左右２つの主側壁部２４１と、左右の主側壁部２４１の間に配置され主側壁部２４１よりも低く形成された下部側壁部２４２と、を備えている。
また、左右の主側壁部２４１と下部側壁部２４２とは、下側（地盤側）を合わせて接合されていて、左右の主側壁部２４１同士が対向する側の端面と下部側壁部２４２の上面によって横梁受け凹部２２Ｕが形成されている。
なお、この実施形態では、左右の主側壁部２４１と下部側壁部２４２とは支持部材２２を介して接合されている。
【００４６】
支持部材２２は、図１、図２、図４、図６に示すように、例えば、縦支持部材２２１と、横支持部材２２２と、を備えている。
縦支持部材２２１、横支持部材２２２は、例えば、Ｈ形鋼のウェブを分割してＴ字形に形成された形鋼、いわゆるカットティーにより構成されている。
【００４７】
縦支持部材２２１は、例えば、側壁部２１を構成する左右の主側壁部２４１の対向する側に鉛直方向に沿ってティーカットのフランジ部の平坦面が互いに対向するように配置され、主側壁部２４１の（鋼製型枠部材本体２１における）内側面に溶接により接合されている。
また、縦支持部材２２１の下端部には、アンカーブラケット２２４が接合されていて、アンカーボルト２０Ｔによって、縦支持部材２２１を地盤上に固定することが可能とされている。
【００４８】
また、左右の主側壁部２４１に接合されたそれぞれの縦支持部材２２１は、互いに対向するフランジ部の平坦面の下部に、下部側壁部材２４２の左右端部が溶接により接合されている。
【００４９】
横支持部材２２２は、例えば、下部側壁部２４２の上部にフランジ部の平坦面を上方に向けたティーカットが水平方向に沿って配置され、溶接により下部側壁部材２４２の内側面に接合されている。
また、横支持部材２２２の左右の両端部は、縦支持部材２２１の互いに対向するフランジ部の平坦面に溶接により接合されている。
【００５０】
差込みプレート受け部材（コンクリート保持壁部）２３は、例えば、図５に示すように、２つのアングル部材２３Ａの間に間隙２３Ｇをあけて、それぞれの脚部を互いに反対側に向けて背中合わせに配置して形成されている。
また、差込みプレート受け部材２３は、横梁受け凹部２２Ｕにおいて左右に対向する縦支持部材２２１のフランジ部の平坦面、及び横支持部材２２２のフランジ部の上面の平坦面に溶接により接合されている。
【００５１】
この実施形態において、差込みプレート受け部材（コンクリート保持壁部）２３は、差込みプレート（張出しプレート）１６と、コンクリート保持手段４０を構成する。
なお、図５に示したのは縦支持部材２２１に対するものを図示しているが、差込みプレート受け部材２３を横支持部材２２２に対して接合する場合も同様の構成とすることが可能である。
【００５２】
差込みプレート受け部材２３は、横梁１５の軸方向に沿って見たときに、差込みプレート１６の左右及び下側で差込みプレート１６と重なるよう（差込みプレート受け部材２３で形成される凹部よりも大きくなるよう）に形成されている。すなわち、重なる部分を有している。
すなわち、差込みプレート受け部材２３は、間隙２３Ｇに、基礎梁仕口鉄骨（基礎梁）１０の張出しプレート（コンクリート保持手段）１６が差し込まれるように構成されている。
【００５３】
その結果、鋼管型枠部材２０内にコンクリートが打設された際に、差込みプレート１６の内方側と外方側でコンクリートが流出するのが抑制され、コンクリートが鋼製型枠部材２０内に保持されるようになっている。
【００５４】
フーチングコンクリート部（コンクリート部）３０は、鋼製型枠２０内に打設されたコンクリートが固化することにより形成されており、基礎梁仕口鉄骨１０を埋設する構成とされている。
そして、フーチングコンクリート部（コンクリート）３０は、フーチングを構成し、基礎梁仕口鉄骨１０を、支持部材２２により支持された基礎梁仕口鉄骨１０及び鋼製型枠部材２０を地盤の所定位置（設定された位置（高さ方向位置、水平方向位置））に固定するように構成されている。
【００５５】
以下、第１実施形態に係る基礎構造１００の施工方法の一例について説明する。
（１）まず、地面に基礎構造１００を配置する掘削孔（不図示）を掘削する。
（２）次に、掘削孔内に砕石Ｓ１を配置するとともにベース筋Ｓ３を配筋して捨てコンを打設して地盤を形成する。
（３）次いで、工場で製造したプレハブ化された鋼製型枠部材２０を地盤上の所定位置に水平に配置する。
（４）次に、アンカーボルト２０Ｔを用いて鋼製型枠内部材２０を地盤上の所定位置に固定する。
（５）次いで、図６に示すように、基礎梁仕口鉄骨１０を矢印Ｔ方向に吊り下ろして、横0梁１５が横梁受け凹部２２Ｕに収容されるように載置する。
そして、基礎梁仕口鉄骨１０を、鋼製型枠部材２０の支持部材２２に支持（保持）させる。
また、基礎梁仕口鉄骨１０の水平方向位置、高さ方向位置は、支持部材２２によって保持される。
（６）次に、鋼製型枠部材２０の周囲に土を入れて掘削孔を埋め戻す。
（７）次いで、鋼製型枠部材２０内にコンクリートを流し込んで、フーチングコンクリート部３０を打設する。
なお、（６）、（７）の順序については、適宜設定することができる。
【００５６】
第１実施形態に係る基礎構造１００によれば、鋼製型枠部材２０が、横梁受け凹部２２Ｕが形成された支持部材２２と、型枠部材本体２１とを備えていて、支持部材２２によって基礎梁仕口鉄骨１０を鋼製型枠部材２０の所定位置（設定位置）に安定して保持させることができるので、仮設時に、アンカーフレームを用いることなく、基礎梁仕口鉄骨１０を所定位置に固定することが可能となるので、基礎構造１００を効率的に形成することができる。
【００５７】
また、第１実施形態に係る基礎構造施工方法によれば、鋼製型枠部材２０を、掘削孔内に配置し、鋼製型枠部材２０をアンカーボルト２０Ｔにより固定し、基礎梁仕口鉄骨１０を横梁受け凹部２２Ｕに配置して支持部材２２により横梁１５を支持させ、鋼製型枠部材２０内にコンクリートを打設してフーチングコンクリート部３０を形成するので、基礎梁仕口鉄骨１０をアンカーフレーム等を用いることなく、基礎梁仕口鉄骨１０を地盤の所定位置（設定した位置）に固定することができる。
【００５８】
また、第１実施形態に係る基礎構造１００によれば、基礎梁仕口鉄骨１０及び鋼製型枠部材２０を工場で製作してプレハブ化することにより、基礎構造１００の構成部材の調達先を少なくするとともに、建設現場における施工工程を削減して簡素にすることができるので、基礎構造の施工期間を短縮することができる。
【００５９】
第１実施形態に係る基礎構造１００によれば、支持部材２２は、横梁受け凹部２２Ｕが横梁１５の高さ寸法と対応して形成されているので、横梁１５が安定して保持され、基礎梁仕口鉄骨１０を安定して支持することができる。
【００６０】
第１実施形態に係る基礎構造１００によれば、コンクリート保持手段として、横梁１５に差込みプレート１６が形成され、支持部材２２に差込みプレート受け部材２３が形成されていて、打設したコンクリートを、差込みプレート１６を挟んで型枠部材本体２１の内側と外側から保持する構成とされたているのでコンクリートを鋼製型枠部材２０内に安定して保持することができる。
その結果、安定した品質の基礎構造を効率的に形成することができる。
【００６１】
また、第１実施形態に係る基礎構造施工方法によれば、鋼製型枠部材２０の周囲を早期に埋め戻すことができるので、基礎構造１００の周辺における建設作業を早期に実施することができる。
【００６２】
＜第２実施形態＞
以下、図７を参照して、本発明の第２実施形態に係る基礎構造について説明する。
図７は、本発明の第２実施形態に係る基礎構造の概略構成の一例を説明する側面から見た概念図である。
図７において、符号２００は基礎構造を、符号Ｓ５は基礎杭を示している。
【００６３】
基礎構造２００は、図７に示すように、例えば、基礎梁仕口鉄骨（基礎梁）１０と、鋼製型枠部材（型枠部材）２０と、フーチングコンクリート部（コンクリート部）３０とを備え、基礎杭Ｓ５の上に配置されている。
第２実施形態が第１実施形態と異なるのは、基礎構造１００と同様の基礎構造２００が基礎杭の上部に配置された構成とされている。その他は第１実施形態と同様であるので同じ符号を付して説明を省略する。
【００６４】
＜第３実施形態＞
以下、図８を参照して、本発明の第３実施形態に係る基礎構造について説明する。
図８は、本発明の第３実施形態に係る基礎構造におけるコンクリート保持手段の概略構成の一例を説明する平面視した概念図である。図８において、符号３００は基礎構造を、符号４０Ａはコンクリート保持手段を示している。
【００６５】
基礎構造３００は、第１実施形態に係る基礎構造１００のコンクリート保持手段４０に代えて、コンクリート保持手段４０Ａを備えている。
この実施形態において、型枠部材２０はプレート受け部材（コンクリート保持壁部）２３を備えていない構成とされている。
コンクリート保持手段４０Ａは、図８に示すように、例えば、横梁１５から幅方向外側に延在するプレート（張出しプレート）１６と、型枠部材２０が有するプレート部材４１とを備えている。
【００６６】
プレート（張出しプレート）１６は、第１実施形態と同様の構成とされている。
プレート部材４１は、図８に示すように、型枠部材２０が有する型枠部材本体２１の内側面に溶接により接合された上下方向に延在する鋼板からなり、左右の型枠部材本体２１同士の間を横梁１５に向かって延在している。
【００６７】
そして、プレート部材４１と、プレート（張出しプレート）１６とは、横梁１５の長手方向（軸線）に沿って見たときに重なるように構成されている。
その結果、コンクリート保持手段４０Ａは、横梁１５及び型枠部材本体２１と協働して、平面視閉断面形状を構成し、打設したコンクリートが型枠部材２０内に保持する構成とされている。その他は第１実施形態と同様であるので説明を省略する。
【００６８】
なお、プレート（張出しプレート）１６、プレート部材４１を、横梁１５の下側に配置するかどうか、プレート部材４１を、型枠部材本体２１に代えて、型枠部材２０が有する支持部材に形成するかどうかは任意に設定することが可能である。
【００６９】
＜第４実施形態＞
以下、図９を参照して、本発明の第４実施形態に係る基礎構造について説明する。
図９は、本発明の第４実施形態に係る基礎構造におけるコンクリート保持手段の概略構成の一例を説明する平面視した概念図である。図９において、符号４００は基礎構造を、符号４０Ｂはコンクリート保持手段を示している。
【００７０】
基礎構造４００は、第１実施形態に係る基礎構造１００のコンクリート保持手段４０に代えて、コンクリート保持手段４０Ｂを備えている。
この実施形態において、型枠部材２０はプレート受け部材（コンクリート保持壁部）２３を備えていない構成とされている。
コンクリート保持手段４０Ｂは、図９に示すように、例えば、横梁１５から幅方向外側に延在するプレート（張出しプレート）１６と、型枠部材２０が有するプレート部材４２とを備えている。
【００７１】
プレート（張出しプレート）１６は、第１実施形態と同様の構成とされている。
プレート部材４２は、図９に示すように、型枠部材２０が有する型枠部材本体２１の外側面に溶接により接合された上下方向に延在する鋼板からなり、左右の型枠部材本体２１同士の間を横梁１５に向かって延在している。
【００７２】
そして、プレート部材４２と、プレート（張出しプレート）１６とは、横梁１５の長手方向（軸線）に沿って見たときに重なるように構成されている。
その結果、コンクリート保持手段４０Ｂは、横梁１５及び型枠部材本体２１と協働して、平面視閉断面形状を構成し、打設したコンクリートを型枠部材２０内に保持する構成とされている。その他は第１実施形態と同様であるので説明を省略する。
【００７３】
なお、プレート（張出しプレート）１６、プレート部材４２を、横梁１５の下側に配置するかどうか、プレート部材４２を、型枠部材本体２１に代えて、型枠部材２０が有する支持部材に形成するかどうかは任意に設定することが可能である。
【００７４】
＜第５実施形態＞
以下、図１０を参照して、本発明の第５実施形態に係る基礎構造について説明する。
図１０は、本発明の第５実施形態に係る基礎構造におけるコンクリート保持手段の概略構成の一例を説明する平面視した概念図である。図１０において、符号５００は基礎構造を、符号４０Ｃはコンクリート保持手段を示している。
【００７５】
基礎構造５００は、第１実施形態に係る基礎構造１００のコンクリート保持手段４０に代えて、コンクリート保持手段４０Ｃを備えている。
この実施形態において、型枠部材２０はプレート受け部材（コンクリート保持壁部）を備えていない構成とされている。
コンクリート保持手段４０Ｃは、図１０に示すように、例えば、横梁１５から幅方向外側に延在するプレート（張出しプレート）１６と、型枠部材２０が有するプレート部材４１と、プレート部材４２とを備えている。
【００７６】
プレート（張出しプレート）１６は、第１実施形態と同様の構成とされている。
プレート部材４１は、第３実施形態に係るプレート部材４１と同様の構成とされ、隣接する一方の型枠部材本体２１の内側面に溶接により接合された上下方向に延在する鋼板からなり、左右の型枠部材本体２１同士の間を横梁１５に向かって延在している。
プレート部材４２は、第４実施形態に係るプレート部材４２と同様の構成とされ、隣接する他方の型枠部材本体２１の外側面に溶接により接合された上下方向に延在する鋼板からなり、左右の型枠部材本体２１同士の間を横梁１５に向かって延在している。
【００７７】
そして、プレート部材４１、プレート部材４２と、プレート（張出しプレート）１６とは、横梁１５の長手方向（軸線）に沿って見たときに重なるように構成されている。
その結果、コンクリート保持手段４０Ｃは、横梁１５及び型枠部材本体２１と協働して、平面視閉断面形状を構成し、打設したコンクリートを型枠部材２０内に保持する構成とされている。その他は第１実施形態と同様であるので説明を省略する。
【００７８】
なお、プレート（張出しプレート）１６、プレート部材４１又はプレート部材４２を、横梁１５の下側に配置するかどうか、また、プレート部材４１、プレート部材４２を、型枠部材本体２１に代えて、型枠部材２０が有する支持部材に形成するかどうかは任意に設定することが可能である。
【００７９】
＜第６実施形態＞
以下、図１１を参照して、本発明の第６実施形態に係る基礎構造について説明する。
図１１は、本発明の第６実施形態に係る基礎構造におけるコンクリート保持手段の概略構成の一例を説明する平面視した概念図である。図１１において、符号６００は基礎構造を、符号４０Ｄはコンクリート保持手段を示している。
【００８０】
基礎構造６００は、第１実施形態に係る基礎構造１００のコンクリート保持手段４０に代えて、コンクリート保持手段４０Ｄを備えている。
この実施形態において、横梁１５は差込みプレート１６を、型枠部材２０はプレート受け部材２３を備えていない構成とされている。
コンクリート保持手段４０Ｄは、図１１に示すように、例えば、横梁１５から幅方向外側に延在するプレート（張出しプレート）１６Ａと、型枠部材２０が有するプレート部材４３とを備えている。
【００８１】
プレート（張出しプレート）１６Ａは、図１１に示すように、横梁１５の両側面に間隔をあけて溶接により接合され、横梁１５から幅方向外方に延在し上下方向に形成された一対のプレート部材により構成されている。
【００８２】
プレート部材４３は、図１１に示すように、例えば、隣接する一方の型枠部材本体２１の内側のプレート１６Ａ同士の間に溶接により接合された左右の型枠部材本体２１同士の間を横梁１５に向かって延在するとともに上下方向に延在する鋼板により構成されている。
【００８３】
そして、プレート部材４３と、プレート（張出しプレート）１６Ａとは、横梁１５の長手方向（軸線）に沿って見たときに重なるように構成されている。
その結果、コンクリート保持手段４０Ｄは、横梁１５及び型枠部材本体２１と協働して、平面視閉断面形状を構成し、打設したコンクリートを型枠部材２０内に保持する構成とされている。その他は第１実施形態と同様であるので説明を省略する。
【００８４】
なお、プレート（張出しプレート）１６Ａ、プレート部材４３を、横梁１５の下側に配置するかどうか、また、プレート部材４３を、型枠部材本体２１に代えて、型枠部材２０が有する支持部材に形成するかどうかは任意に設定することが可能である。
【００８５】
＜第７実施形態＞
以下、図１２を参照して、本発明の第７実施形態に係る基礎構造について説明する。
図１２は、本発明の第７実施形態に係る基礎構造におけるコンクリート保持手段の概略構成の一例を説明する平面視した概念図である。図１２において、符号７００は基礎構造を、符号４０Ｅはコンクリート保持手段を示している。
【００８６】
基礎構造７００は、第１実施形態に係るコンクリート保持手段に代えて、コンクリート保持手段４０Ｅを備えている。
この実施形態において、横梁１５は差込みプレート（張出しプレート）１６を、型枠部材２０はプレート受け部材（コンクリート保持壁部）を備えていない構成とされている。
コンクリート保持手段４０Ｅは、図１２に示すように、例えば、横梁１５の両側面に形成され幅方向内方にくぼむ溝部１５Ｕと、型枠部材２０が有する型枠部材本体２１とを備えている。
【００８７】
溝部１５Ｕは、図１２に示すように、横梁１５の両側面に形成され幅方向内方にくぼみ上下方向に延在する凹部からなり、型枠部材本体２１の内側の端部を上下方向に沿って収容可能とされている。
【００８８】
そして、型枠部材本体２１の端部と、溝部１５Ｕとは、横梁１５の長手方向（軸線）に沿って見たときに重なるように構成されている。
その結果、コンクリート保持手段４０Ｅは、横梁１５及び型枠部材本体２１と協働して、平面視閉断面形状を構成し、打設したコンクリートを型枠部材２０内に保持する構成とされている。その他は第１実施形態と同様であるので説明を省略する。
【００８９】
なお、溝部１５Ｕ及び対応するプレート部材を、横梁１５の下側に配置するかどうか、また、型枠部材本体２１に代えて、溝部１５Ｕに、型枠部材２０が有する支持部材又は型枠部材本体２１に接合したプレート部材等を収容させるかどうかは任意に設定することが可能である。
【００９０】
＜第８実施形態＞
以下、図１３を参照して、本発明の第８実施形態に係る基礎構造について説明する。
図１３は、本発明の第６実施形態に係る基礎構造の概略構成の一例を説明する平面視した概念図である。図１３において、符号８００は基礎構造を、符号４０Ｆはコンクリート保持手段を示している。
【００９１】
基礎構造８００は、第１実施形態に係るコンクリート保持手段に代えて、コンクリート保持手段４０Ｆを備えている。
この実施形態において、横梁１５は差込みプレート（張出しプレート）１６を、型枠部材２０はプレート受け部材（コンクリート保持壁部）を備えていない構成とされている。
【００９２】
第８実施形態に係る基礎構造８００に係るコンクリート保持手段４０Ｆは、図１３に示すように、横梁１５と、型枠部材本体２１と、コンクリート保持部材５０とを備えている。
コンクリート保持部材５０は、図１３に示すように、横梁１５と、型枠部材本体２１の内側の端部との間に配置され、横梁１５及び型枠部材本体２１途は独立した別部材により構成されている。
コンクリート保持部材５０は、例えば、ラス網やコンクリートが流れ出すのを抑制可能な他の部材により構成されている。
【００９３】
そして、コンクリート保持手段４０Ｆは、横梁１５と、型枠部材本体２１と、コンクリート保持部材５０とが協働して平面視閉断面形状を構成し、打設したコンクリートを型枠部材２０内に保持する構成とされている。その他は第１実施形態と同様であるので説明を省略する。
【００９４】
なお、プレート（張出しプレート）１６、プレート部材４２を、横梁１５の下側に配置するかどうか、プレート部材４２を、型枠部材本体２１に代えて、型枠部材２０が有する支持部材に形成するかどうかは任意に設定することが可能である。
【００９５】
なお、コンクリート保持部材５０を、横梁１５の下側に配置するかどうか、また、型枠部材本体２１に代えて、コンクリート保持部材５０を、型枠部材２０が有する支持部材と横梁１５の間に配置するかどうかは任意に設定することが可能である。
【００９６】
＜第９実施形態＞
以下、図１４、図１５を参照して、本発明の第９実施形態に係る基礎構造について説明する。
図１４は、本発明の第９実施形態に係る基礎構造の概略構成の一例を部分的に説明する分解斜視図であり、図１５は基礎構造におけるコンクリート流出抑止部の概略構成の一例を説明する平面視した概念図である。図１４、１５において、符号９００は基礎構造を、符号６０はコンクリート流出抑止部を示している。
【００９７】
基礎構造９００は、図１４に示すように、第１実施形態に係る横梁１５の差込みプレート１６に代えて、横梁１５から幅方向外側に延在する張出しプレート１６Ｂを備えている。
また、基礎構造９００は、第１実施形態に係る鋼製型枠部材２０に代えて鋼製型枠部材（型枠部材）２０Ａを備えている。その他は、第１実施形態と同様であるので同じ符号を付して説明を省略する。
【００９８】
鋼製型枠部材（型枠部材）２０Ａは、図１４に示すように、例えば、鋼製型枠部材本体（型枠部材本体）２１と、支持部材２２と、を備えていて、第１実施形態に係るプレート受け部材２３を備えない構成とされている。
なお、この実施形態において、張出しプレート１６Ｂは、例えば、複数のカットティーからなる部材を、横梁１５を構成するＨ形鋼の断面形状（ウェブ及びフランジ部）に合わせて、フランジ部が幅方向外側を向くように接合されている。
【００９９】
また、基礎構造９００は、図１５に示すように、第１実施形態に係るコンクリート保持手段４０に代えて、コンクリート流出抑止部６０を備えている。
この実施形態において、コンクリート流出抑止部６０は、支持部材２２と張出しプレート１６Ｂとが互いに近接ずることにより形成される間隙により構成されている。
【０１００】
具体的には、支持部材２２において主側壁部２４１の横梁受け凹部２２Ｕ側に位置され横梁１５と対向する梁側端面（端部）２２Ｓと、張出しプレート１６Ｂをなすカットティーのフランジ部において支持部２２の梁側端面（端部）２２Ｓと対向する型枠側端面１６Ｓとの間隙により構成されている。
そして、コンクリート流出抑止部６０をなす間隙は、打設したコンクリートが型枠部材２０Ａの外方に流出するのを抑止する。
【０１０１】
なお、コンクリート流出抑止部６０を構成する間隙の寸法は、例えば、打設したコンクリートの性状（骨材の大きさ、粘性等）、コンクリートが流動して固化するまでに流出する量、移動する長さ等を考慮して、必要に応じて任意に設定することが可能であり、例えば、コンクリートを構成する骨材（粗骨材）サイズに応じて設定することができる。
【０１０２】
具体的には、型枠部材２０Ａと、横梁１５の張出しプレート１６Ｂと、の間隔を、打設されるコンクリートの骨材のサイズ以下に近接配置することが好適である。すなわち、粗骨材のサイズが概ね２０ｍｍ〜２５ｍｍであることを考慮すると、０ｍｍ超２５ｍｍ以下の範囲の寸法以下に間隔を設定することが好適であり、０ｍｍ超２０ｍｍ以下の範囲の寸法以下に間隔を設定することがより好適である。
【０１０３】
ここで、コンクリートの骨材のサイズとは、コンクリートを構成する骨材（粗骨材）の最大寸法をいい、具体的には、標準ふるい（ＪＩＳ Ｚ ８８０１）にかけた際に、重量で骨材の９０％以上が通るふるいのうち、目の開きが最小のふるいの目の開き（ｍｍ）をいうものとする。また、その他については、第１実施形態と同様であるので説明を省略する。
【０１０４】
＜第１０実施形態＞
以下、図１６を参照して、本発明の第１０実施形態に係る基礎構造について説明する。
図１６は、本発明の第１０実施形態に係る基礎構造におけるコンクリート流出抑止部の概略構成の一例を説明する平面視した概念図である。図１６において、符号１０００は基礎構造を、符号６０Ａはコンクリート流出抑止部を示している。
【０１０５】
基礎構造１０００は、第９実施形態に係る基礎構造１００のコンクリート流出抑止部６０に代えて、コンクリート流出抑止部６０Ａを備えている。
この実施形態において、型枠部材２０はプレート受け部材（コンクリート保持壁部）２３を備えていない構成とされている。
この実施形態において、コンクリート流出抑止部６０Ａは、型枠部材２０（型枠部材本体２１又は支持部材）と張出しプレート１６とが互いに近接ずることにより形成される間隙により構成されている。
【０１０６】
具体的には、型枠部材本体２１において横梁１５と対向する梁側端部（端部）と、張出しプレート１６において型枠部材本体２１の端部と対向する型枠側端部との間隙により構成されている。
そして、コンクリート流出抑止部６０Ａをなす間隙は、打設したコンクリートが型枠部材２０の外方に流出するのを抑止する。
【０１０７】
また、コンクリート流出抑止部６０Ａを構成する間隙の寸法は、例えば、打設したコンクリートの性状（骨材の大きさ、粘性等）、コンクリートが流動して固化するまでに流出する量、移動する長さ等を考慮して、必要に応じて任意に設定することが可能であり、例えば、コンクリートを構成する骨材（粗骨材）サイズに応じて設定することができる。
【０１０８】
具体的には、型枠部材２０と、横梁１５の張出しプレート１６と、の間隔を、打設されるコンクリートの骨材のサイズ以下に近接配置することが好適である。すなわち、粗骨材のサイズが概ね２０ｍｍ〜２５ｍｍであることを考慮すると、０ｍｍ超２５ｍｍ以下の範囲の寸法以下に間隔を設定することが好適であり、０ｍｍ超２０ｍｍ以下の範囲の寸法以下に間隔を設定することがより好適である。コンクリートの骨材のサイズについては第９実施形態と同様である。その他については、第１実施形態と同様であるので説明を省略する。
【０１０９】
なお、コンクリート流出抑止部６０Ａは、例えば、張出しプレート１６の端部と、型枠部材２０（型枠部材本体２１又は支持部材）の端部が、横梁１５の長手方向にずれて配置された間隙によっても構成することが可能である。
また、張出しプレート１６又は型枠部材２０（型枠部材本体２１又は支持部材）を、第９実施形態に係る張出しプレート１６Ｂ又は支持部材２２に置換することにより、張出しプレート１６の端部と梁側端面２２Ｓ、又は型枠側端面１６Ｓと型枠部材本体２１の梁側端部からがる、一方が面とされたコンクリート流出抑止部を構成してもよい。
【０１１０】
なお、本発明は、上記実施の形態に限定されるものではなく、発明の趣旨を逸脱しない範囲において、種々の変更をすることが可能である。
例えば、上記実施形態においては、基礎梁仕口鉄骨（基礎梁）１０が、鋼管柱１１の４つの側面に横梁１５が形成されている場合について説明したが、基礎梁仕口鉄骨１０の構成については適宜設定することが可能である。例えば、鋼管柱１１等の柱を備えるかどうか、柱を平面視どのような断面形状とするか、柱のいずれの側面にいくつの横梁１５を配置するかは適宜設定することができる。
【０１１１】
また、上記実施形態においては、すべての横梁１５に差込みプレート１６が形成されている場合について説明したが、どの横梁１５に差込みプレート１６を形成するかどうかは適宜設定することが可能である。例えば、設定した任意の横梁１５に差込みプレート１６を形成する構成としてもよいし、差込みプレート１６が一部の横梁１５に形成される構成としてもよい。
【０１１２】
また、上記実施形態においては、差込みプレート１６が、横梁１５の下側と左右に延在する矩形に形成されている場合について説明したが、例えば、左右又は下側のいずれかのみに延在する構成としてもよい。
【０１１３】
また、上記実施形態においては、差込みプレート１６が鋼板で形成されている場合について説明したが、鋼板に代えて、例えば、ラス網やコンクリートが流れ出すのを抑制可能な他の材料によって形成してもよい。
【０１１４】
また、上記実施形態においては、型枠部材本体２１の側壁部２４が鋼板により形成されている場合について説明したが、側壁部２４の材料についてはコンクリートを保持可能な範囲内で適宜設定することが可能であり、例えば、ラス網やコンクリートが流れ出すのを抑制可能な他の部材によって形成されていてもよい。
【０１１５】
また、上記実施形態においては、例えば、鋼製型枠部材２０が平面視して略正方形に形成されている場合について説明したが、平面視したときの型枠部材２０の形状については適宜設定することが可能であり、例えば、正方形に限定されることなく正方形以外の矩形や三角形や五角形以上の多角形（不等辺多角形を含む）や円形に形成されていてもよい。
【０１１６】
また、上記実施形態においては、横梁受け凹部２２Ｕが横梁１５の高さ方向寸法と対応して形成されている場合について説明したが、横梁受け凹部２２Ｕの高さについては適宜設定することが可能である。
【０１１７】
また、上記実施形態においては、差込みプレート（コンクリート保持壁部）１６が支持部材２２の横梁受け凹部２２Ｕに形成されているが構成される場合について説明したが、コンクリート保持壁部の構成は適宜設定可能である。例えば、コンクリート保持壁部を備えない構成としてもよいし、コンクリート保持壁部を型枠部材本体２１に形成してもよい。
【０１１８】
また、上記実施形態においては、例えば、プレート受け部材（コンクリート保持壁部）２３をアングル材を背中合わせに配置して形成する場合について説明したが、他の構成としてもよい。
【０１１９】
また、上記実施形態においては、支持部材２２がカットティーにより構成される場合につて説明したが、支持部材２２を構成する材料については適宜設定することが可能である。例えば、支持部材２２をＨ形鋼を組み合わせて形成してもよい。
【０１２０】
以上、本発明の実施形態について図面を参照して詳述したが、具体的な構成はこの実施形態に限られるものではなく、本発明の要旨を逸脱しない範囲の構成の変更、組み合わせ、削除等も含まれる。
【符号の説明】
【０１２１】
１０  基礎梁仕口鉄骨（基礎梁）
１５  横梁
１５Ｕ  溝部（コンクリート保持手段）
１６  差込みプレート（張出しプレート、コンクリート保持手段、コンクリート流出抑止部）
１６Ａ  プレート（張出しプレート、コンクリート保持手段）
１６Ｂ  張出しプレート（コンクリート保持手段、コンクリート流出抑止部）
２０  鋼製型枠部材（型枠部材）
２１  型枠部材本体（コンクリート流出抑止部）
２２  支持部材
２４１  主側壁部（コンクリート流出抑止部）
２２Ｕ  横梁受け凹部
２３  プレート受け部材（コンクリート保持壁部、コンクリート保持手段）
３０  フーチングコンクリート部（コンクリート部）
４０、４０Ａ、４０Ｂ、４０Ｃ、４０Ｄ、４０Ｅ、４０Ｆ  コンクリート保持手段
４１、４２、４３  プレート部材（コンクリート保持手段）
５０  コンクリート保持部材
６０、６０Ａ  コンクリート流出抑止部
１００、２００、３００、４００、５００、６００、７００、８００、９００、１０００  基礎構造
【図１】
2020070605.tif 000003
【図２】
2020070605.tif 000004
【図３】
2020070605.tif 000005
【図４】
2020070605.tif 000006
【図５】
2020070605.tif 000007
【図６】
2020070605.tif 000008
【図７】
2020070605.tif 000009
【図８】
2020070605.tif 000010
【図９】
2020070605.tif 000011
【図１０】
2020070605.tif 000012
【図１１】
2020070605.tif 000013
【図１２】
2020070605.tif 000014
【図１３】
2020070605.tif 000015
【図１４】
2020070605.tif 000016
【図１５】
2020070605.tif 000017
【図１６】
2020070605.tif 000018
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
型枠部材と、
横梁を有する基礎梁と、
前記型枠部材内にコンクリートが打設されて形成されたコンクリート部と、
を備えた基礎構造であって、
前記型枠部材は、
前記横梁を支持する支持部材と、
型枠部材本体と、
前記型枠部材と前記横梁とが協働して前記型枠部材内にコンクリートを保持するコンクリート保持手段と、
を備え、
前記型枠部材と前記横梁とを含む平面視閉断面形状が構成されていて、
前記コンクリート保持手段は、
前記横梁に形成され、前記横梁の軸線と直交する方向に延在する張出しプレートと、
前記型枠部材に形成され、前記閉断面形状の内側と外側の少なくともいずれか一方に配置され前記張出しプレートと重なり合うように形成されたコンクリート保持壁部と、
を有し、
前記閉断面形状に沿って重なる部分を備える
ことを特徴とする基礎構造。
【請求項２】
請求項１に記載の基礎構造であって、
前記支持部材は、
前記横梁が収容可能な横梁受け凹部が形成されている
ことを特徴とする基礎構造。
【請求項３】
請求項１又は２に記載の基礎構造であって、
前記支持部材は、
支持した前記横梁を、前記型枠部材本体に対して所定の高さに保持する
ことを特徴とする基礎構造。
【請求項４】
型枠部材と、横梁を有する基礎梁と、を備え、前記型枠部材内にコンクリートが打設された基礎構造施工方法であって、
前記横梁を支持する支持部材と、型枠部材本体と、を備えた型枠部材を孔内に配置し、
前記型枠部材を地盤に固定するとともに、前記型枠部材と前記横梁とを含む平面視閉断面形状を構成し、
前記基礎梁を前記支持部材に配置して、前記支持部材により前記横梁を支持させて、前記横梁に形成され前記横梁の軸線と直交する方向に延在する張出しプレートと、前記型枠部材に形成され前記閉断面形状の内側と外側の少なくともいずれか一方に配置されたコンクリート保持壁部と、によって前記閉断面形状に沿って重なる部分を形成して前記型枠部材内にコンクリートを保持するコンクリート保持手段を構成し、
前記型枠部材内にコンクリートを打設する
ことを特徴とする基礎構造施工方法。
【手続補正２】
【補正対象書類名】明細書
【補正対象項目名】０００８
【補正方法】変更
【補正の内容】
【０００８】
上記課題を解決するために、この発明は以下の手段を提案している。
請求項１に記載の発明は、型枠部材と、横梁を有する基礎梁と、前記型枠部材内にコンクリートが打設されて形成されたコンクリート部と、を備えた基礎構造であって、前記型枠部材は、前記横梁を支持する支持部材と、型枠部材本体と、前記型枠部材と前記横梁とが協働して前記型枠部材内にコンクリートを保持するコンクリート保持手段と、を備え、前記型枠部材と前記横梁とを含む平面視閉断面形状が構成されていて、前記コンクリート保持手段は、前記横梁に形成され、前記横梁の軸線と直交する方向に延在する張出しプレートと、前記型枠部材に形成され、前記閉断面形状の内側と外側の少なくともいずれか一方に配置され前記張出しプレートと重なり合うように形成されたコンクリート保持壁部と、を有し、前記閉断面形状に沿って重なる部分を備えることを特徴とする。
【手続補正３】
【補正対象書類名】明細書
【補正対象項目名】０００９
【補正方法】変更
【補正の内容】
【０００９】
この発明に係る基礎構造によれば、型枠部材が、横梁を支持する支持部材と、型枠部材本体と、コンクリート部と、を備えていて、支持部材によって基礎梁を安定して支持させることができるので、例えば、仮設時に、アンカーフレームを用いることなく基礎梁を固定することが可能となり、基礎構造を効率的に形成することができる。
また、型枠部材及び基礎梁を工場で製作してプレハブ化することにより、建設現場における施工工程を削減して簡素にすることができるので、基礎構造の施工期間を短縮することができる。
また、型枠部材と前記横梁とを含む閉断面形状が構成されているので、打設したコンクリートを平面視閉断面形状内に容易かつ安定して保持することができる。
また、型枠部材と横梁とが協働して型枠部材内にコンクリートを保持するコンクリート保持手段を備えているので、打設したコンクリートを型枠部材内に安定して保持することができる。
その結果、安定した品質の基礎構造を効率的に形成することができる。
また、この発明に係る基礎構造によれば、コンクリート保持手段が、閉断面形状に沿って重なる部分を備えているので、型枠部材に基礎梁を配置した際に、効率的に閉断面形状を構成することができる。
また、コンクリート保持手段は、横梁に形成された張出しプレートと、型枠部材に形成された平面視閉断面形状の内側と外側の少なくともいずれか一方に配置され張出しプレートと重なり合うように形成されたコンクリート保持壁部と、を備えているので、効率的に閉断面形状を形成することができる。また、打設したコンクリートを閉断面形状内に安定して保持させることができる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】変更
【補正の内容】
【００２９】
請求項４に記載の発明は、型枠部材と、横梁を有する基礎梁と、を備え、前記型枠部材内にコンクリートが打設された基礎構造施工方法であって、前記横梁を支持する支持部材と、型枠部材本体と、を備えた型枠部材を孔内に配置し、前記型枠部材を地盤に固定するとともに、前記型枠部材と前記横梁とを含む平面視閉断面形状を構成し、前記基礎梁を前記支持部材に配置して、前記支持部材により前記横梁を支持させて、前記横梁に形成され前記横梁の軸線と直交する方向に延在する張出しプレートと、前記型枠部材に形成され前記閉断面形状の内側と外側の少なくともいずれか一方に配置されたコンクリート保持壁部と、によって前記閉断面形状に沿って重なる部分を形成して前記型枠部材内にコンクリートを保持するコンクリート保持手段を構成し、前記型枠部材内にコンクリートを打設することを特徴とする。